(57)【要約】【課題】印刷装置とその印刷装置から排出された用紙に後処理を行う後処理装置とを備えた印刷システムにおいて、中断された印刷ジョブを再開する際に、中断前に出力された印刷物を無駄にすることなく、かつ、手動で後処理を行う手間を省く。【解決手段】印刷装置における停止要因により印刷装置の用紙搬送が停止されたとき、後処理装置では、中断された印刷ジョブに属する用紙を貯留部に貯留させた上で、後処理装置における用紙の搬送を停止させる。そして、印刷装置から残留用紙が全て除去され、かつ、停止要因が解消した後、印刷装置では、停止の前に印刷装置から最後に排出された用紙に印刷された印刷データの次の印刷データから印刷を再開させ、その印刷の再開に連動して、後処理装置では、中断された印刷ジョブに属する残りの用紙を受け入れて、その残りの用紙と貯留部に貯留させておいた用紙とを用いて、中断された印刷ジョブの後処理を続行させる。【選択図】図４
2014073645.tif 000002
【特許請求の範囲】
【請求項１】
用紙に印刷を行う印刷装置と、該印刷装置から排出された用紙を順次受け入れ、所定枚数の前記用紙からなる用紙セット毎に所定の後処理を行う後処理装置とを備えた印刷システムにおいて、
前記後処理装置内に設けられ、該後処理装置に受け入れ済みの前記用紙を貯留する貯留 部と、
前記印刷装置における停止要因を検知する停止要因検知部と、
該停止要因検知部により前記停止要因が検知されたことを受けて、前記印刷装置における用紙の搬送を停止させる印刷装置制御部と、
前記停止要因により前記印刷装置において用紙の搬送が停止されたことに連動して、前記後処理装置に前記所定枚数の用紙が揃っていない用紙セットである未完成用紙セットに属する前記後処理装置に受け入れ済みの用紙を前記貯留部に貯留させた上で、前記後処理装置における用紙の搬送を停止させる後処理装置制御部と、
前記印刷装置制御部が、前記印刷装置から残留用紙が全て除去され、かつ、前記検知された停止要因が解消した後、前記印刷装置に、前記停止要因による停止の前に前記印刷装置から最後に排出された用紙に印刷された印刷データの次の印刷データから前記印刷を再開させるものであり、
前記後処理装置制御部が、前記印刷の再開に連動して、前記後処理装置に、前記印刷装置から前記未完成用紙セットに属する残りの用紙を受け入れ、前記貯留部に貯留させておいた当該未完成用紙セットに属する用紙と前記受け入れた残りの用紙とを用いて、当該未完成用紙セットに対する前記後処理を続行させるものである
ことを特徴とする印刷システム。
【請求項２】
前記後処理装置における用紙搬送路の、前記印刷装置から排出された用紙が前記後処理装置内に導入される入口近傍に設けられ、前記排出された用紙を前記後処理装置内へ受け入れる受入ローラと、
前記用紙搬送路の前記受入ローラよりも上流に設けられ、その位置における用紙の有無を検知する用紙検知センサとを備え、
前記停止要因検知部が、前記印刷装置における停止要因として、前記排出された用紙が前記用紙検知センサの位置に適切なタイミングで到達しなかったことを、前記用紙検知センサの信号に基づいて検知するものである
ことを特徴とする請求項１記載の印刷システム。
【発明の詳細な説明】
【技術分野】
【０００１】
本発明は、用紙に印刷を行う印刷装置と、その印刷装置から排出された用紙を順次受け入れ、所定枚数の用紙からなる用紙セット毎に所定の後処理を行う後処理装置とを備えた印刷システムに関する。
【背景技術】
【０００２】
近年、印刷装置に封入封緘、ステープルなどの後処理を行う後処理装置を組み合わせることによって、印刷から後処理までの処理を連続して自動的に行うことが可能な印刷システムが知られている。
【０００３】
特許文献１には、このような印刷システムにおいて、部単位で後処理を行う印刷ジョブを実行する途中で異常の発生により印刷が中断した場合、復旧後の再開動作として、印刷ジョブの１ページ目から印刷を再開してステープル止めを行う再開動作と、印刷中断ページから印刷を再開してステープル止めは行わない再開動作とを、ユーザの要望に沿って切り替えることができる印刷システムが提案されている。
【先行技術文献】
【特許文献】
【０００４】
【特許文献１】特開２０１１−６２９３８号
【発明の概要】
【発明が解決しようとする課題】
【０００５】
しかしながら、上記従来の印刷システムにおいて、中断された印刷ジョブの印刷を１ページ目から再開して後処理を行う場合には、ユーザの期待通りの後処理済み印刷物を得ることは可能だが、中断前に出力された途中ページまでの印刷物が全て無駄になってしまうという問題があり、印刷中断ページから印刷を再開してステープル止めは行わない場合には、中断前に出力された印刷物は無駄にならないが、後処理が行われないため、ユーザが手動で後処理を行わなければならず、手間がかかるという問題がある。
【０００６】
本発明は、上記事情に鑑み、印刷装置とその印刷装置から排出された用紙に後処理を行う後処理装置とを備えた印刷システムにおいて、中断された印刷ジョブを再開する際に、中断前に出力された印刷物を無駄にすることなく、かつ、手動で後処理を行う手間を省くことができる印刷システムを提供することを目的とするものである。
【課題を解決するための手段】
【０００７】
本発明の印刷システムは、用紙に印刷を行う印刷装置と、印刷装置から排出された用紙を順次受け入れ、所定枚数の前記用紙からなる用紙セット毎に所定の後処理を行う後処理装置とを備えた印刷システムにおいて、後処理装置内に設けられ、後処理装置に受け入れ済みの用紙を貯留する貯留部と、印刷装置における停止要因を検知する停止要因検知部と、停止要因検知部により停止要因が検知されたことを受けて、印刷装置における用紙の搬送を停止させる印刷装置制御部と、前記停止要因により印刷装置において用紙の搬送が停止されたことに連動して、後処理装置に前記所定枚数の用紙が揃っていない用紙セットである未完成用紙セットに属する後処理装置に受け入れ済みの用紙を貯留部に貯留させた上で、後処理装置における用紙の搬送を停止させる後処理装置制御部と、印刷装置制御部が、印刷装置から残留用紙が全て除去され、かつ、検知された停止要因が解消した後、印刷装置に、停止要因による停止の前に印刷装置から最後に排出された用紙に印刷された印刷データの次の印刷データから印刷を再開させるものであり、後処理装置制御部が、前記印刷の再開に連動して、後処理装置に、印刷装置から未完成用紙セットに属する残りの用紙を受け入れ、貯留部に貯留させておいたその未完成用紙セットに属する用紙と前記受け入れた残りの用紙とを用いて、その未完成用紙セットに対する後処理を続行させるものであることを特徴とするものである。
【０００８】
ここで、「印刷装置における停止要因」の具体例としては、印刷装置内における用紙詰まりやインク切れ、印刷装置のメインテナンス等が挙げられ、後処理装置における用紙詰まりのような印刷装置外の部分における停止要因は含まれない。なお、通常後処理装置側において検知される「未達ジャム」は、印刷装置の用紙を排出する部分における用紙詰まりを検知したものである場合があるので、印刷装置における停止要因に含まれるものとする。
【０００９】
また、本発明の印刷システムは、後処理装置における用紙搬送路の、印刷装置から排出された用紙が後処理装置内に導入される入口近傍に設けられ、前記排出された用紙を後処理装置内へ受け入れる受入ローラと、用紙搬送路の受入ローラよりも上流に設けられ、その位置における用紙の有無を検知する用紙検知センサとを備え、停止要因検知部が、印刷装置における停止要因として、前記排出された用紙が用紙検知センサの位置に適切なタイミングで到達しなかったことを、用紙検知センサの信号に基づいて検知するものであってもよい。
【００１０】
また、本発明の印刷システムは、停止要因検知部により検知された停止要因により印刷装置において用紙の搬送が停止したことを受けて、印刷装置における残留用紙に関する情報をユーザに報知する報知部を備えたものであってもよい。
【００１１】
なお、本発明の印刷システムにおいて、貯留部は、貯留されている用紙が印刷装置の外部に直接露出されていない状態、即ち貯留されている用紙を取り出すためには用紙を覆っている部材（後処理装置を収めた筐体の前扉など）を開けるといった何らかの操作を必要とする状態で用紙を貯留するものであることが好ましい。
【発明の効果】
【００１２】
本発明の印刷システムによれば、用紙に印刷を行う印刷装置と、印刷装置から排出された用紙を順次受け入れ、所定枚数の前記用紙からなる用紙セット毎に所定の後処理を行う後処理装置とを備えた印刷システムにおいて、後処理装置内に設けられ、後処理装置に受け入れ済みの用紙を貯留する貯留部と、印刷装置における停止要因を検知する停止要因検知部と、停止要因検知部により停止要因が検知されたことを受けて、印刷装置における用紙の搬送を停止させる印刷装置制御部と、前記停止要因により印刷装置において用紙の搬送が停止されたことに連動して、後処理装置に前記所定枚数の用紙が揃っていない用紙セットである未完成用紙セットに属する後処理装置に受け入れ済みの用紙を貯留部に貯留させた上で、後処理装置における用紙の搬送を停止させる後処理装置制御部と、印刷装置制御部が、印刷装置から残留用紙が全て除去され、かつ、検知された停止要因が解消した後、印刷装置に、停止要因による停止の前に印刷装置から最後に排出された用紙に印刷された印刷データの次の印刷データから印刷を再開させるものであり、後処理装置制御部が、前記印刷の再開に連動して、後処理装置に、印刷装置から未完成用紙セットに属する残りの用紙を受け入れ、貯留部に貯留させておいたその未完成用紙セットに属する用紙と前記受け入れた残りの用紙とを用いて、その未完成用紙セットに対する後処理を続行させるものであるので、停止の前までに後処理装置へ排出済みの用紙を無駄にすることなく、かつ、手動で後処理を行う手間を省くことができる。
【００１３】
また、本発明の印刷システムにおいて、後処理装置における用紙搬送路の、印刷装置から排出された用紙が後処理装置内に導入される入口近傍に設けられ、前記排出された用紙を後処理装置内へ受け入れる受入ローラと、用紙搬送路の受入ローラよりも上流に設けられ、その位置における用紙の有無を検知する用紙検知センサとを備え、停止要因検知部が、印刷装置における停止要因として、前記排出された用紙が用紙検知センサの位置に適切なタイミングで到達しなかったことを、用紙検知センサの信号に基づいて検知するものである場合、すなわち、印刷装置の用紙を排出する部分において用紙詰まりが発生し、後処理装置に用紙が到達しなかったときのいわゆる「未達ジャム」は通常後処理装置で検知されることから後処理装置における用紙詰まりとして処理することが一般的には考えられるが、この「未達ジャム」を後処理装置における用紙詰まりとしてではなく、印刷装置における用紙詰まりとして処理するようにした場合には、「未達ジャム」により印刷装置の用紙搬送が停止された場合であっても、停止の前までに後処理装置へ排出済みの用紙を無駄にすることなく、かつ、手動で後処理を行う手間を省くことができる。なお、仮に「未達ジャム」を後処理装置における用紙詰まりとして処理する場合には、後処理装置内の残留用紙を全て取り除いた上で中断された印刷等の処理を再開することとなるので、停止の前までに後処理装置へ排出済みの用紙が無駄になってしまう。
【００１４】
また、本発明の印刷システムにおいて、停止要因検知部により検知された停止要因により印刷装置において用紙の搬送が停止したことを受けて、印刷装置における残留用紙に関する情報をユーザに報知する報知部を備えた場合には、ユーザは、その報知を受けて印刷装置から残留用紙を除去する作業を効率的に行うことができる。
【００１５】
また、本発明の印刷システムにおいて、貯留部が、貯留されている用紙が印刷装置の外部に直接露出されていない状態、即ち貯留されている用紙を取り出すためには用紙を覆っている部材を開けるといった何らかの操作を必要とする状態で用紙を貯留するものである場合には、後処理装置内における用紙の貯留状態の安定性を保障し、後処理済み印刷物の品質を保つことができる。
【図面の簡単な説明】
【００１６】
【図１】印刷システムの概略構成図
【図２】印刷システムの制御系の構成を示すブロック図
【図３】ジャム発生時にタッチパネルに表示される表示画面の一例を示す図
【図４】印刷システムにおいて行われる処理の流れを示すフローチャート
【発明を実施するための形態】
【００１７】
以下、図面を参照して、本発明の印刷システムの一実施形態について説明する。図１は、本実施形態に係る印刷システム１の概略構成を示す図である。この印刷システム１は、図１に示すように、封書作成に用いられる封筒用紙と封入物用紙とに印刷処理を施す印刷装置２０と、印刷装置２０において印刷処理の施された印刷用紙を用いて封書を作成する封入封緘装置３０とを備えている。
【００１８】
印刷装置２０は、印刷用紙に対してインクを吐出するインクヘッド部２１を備えている。インクヘッド部２１は、入力された封入物や封筒の画像データに基づいて、印刷用紙に対してインクを吐出することによって印刷処理を施すものである。本実施形態のインクヘッド部２１は、ブラックＫ、シアンＣ、マゼンダＭ、イエローＹの各色のインクを吐出する複数のライン型のインクヘッドを備えるものである。
【００１９】
また、印刷装置２０は、封入物用紙ＨＰが設置される給紙トレイ２２と、封筒用紙ＦＰが設置されるストレート給紙台２３とを備えている。給紙トレイ２２は、第１給紙トレイ２２ａと第２給紙トレイ２２ｂと第３給紙トレイ２２ｃとを備えており、これらの給紙トレイに種々の用紙種類、用紙サイズの封入物用紙ＨＰが設置される。また、ストレート給紙台２３には、封筒用紙ＦＰが設置される。そして、くるみ封入封緘の印刷物が作成される際には、封筒用紙ＦＰと封入物用紙ＨＰとが、それぞれストレート給紙台２３と給紙トレイ２２とから給紙ローラなどによってピックアップされて給紙される。
【００２０】
また、印刷装置２０は、封筒用紙ＦＰと封入物用紙ＨＰとを搬送する循環搬送路２４を備えている。循環搬送路２４は、ストレート給紙台２３から給紙された封筒用紙ＦＰと給紙トレイ２２から給紙された封入物用紙ＨＰとをインクヘッド部２１の上流側から下流側に向けて搬送するものである。
【００２１】
また、循環搬送路２４は、片面印刷の際には、インクヘッド部２１において印刷処理の施された印刷用紙をそのまま連絡搬送路２５に受け渡すものであり、両面印刷の際には、片面の印刷処理が終了した印刷用紙を反転部２６まで搬送し、反転部２６において表裏反転された片面印刷済印刷用紙を再びインクヘッド部２１の上流側から下流側へ搬送し、その後、インクヘッド部２１において再び印刷処理の施された両面印刷済印刷用紙を連絡搬送路２５に受け渡すものである。そして、連絡搬送路２５によって受け入れられた印刷済印刷用紙は、封入封緘装置３０に送り出される。
【００２２】
また、印刷装置２０には、図１に示すように、用紙の搬送路の適所にそれぞれ設けられ、その位置における用紙の有無を検知する複数の用紙検知センサＳ１，Ｓ２，・・・，Ｓ５が設けられている。これらの各用紙検知センサは、発光素子と受光素子とを有する光センサからなる。
【００２３】
また、印刷装置２０には、用紙の搬送路の複数個所にそれぞれジャム用紙などの残留用紙を解除するためのジャム解除区間が設定されており、各ジャム解除区間には、たとえばその区間の搬送路を露出可能にする開閉自在なカバー、用紙を挟持搬送する搬送ローラ対の圧接部を離間させるための操作レバー等のジャム解除用の構造が設けられている。
【００２４】
また、印刷装置２０は、所定の設定入力画面を表示するとともに、ユーザによる所定の設定入力を受け付けるタッチパネル２７を備えている。本実施形態におけるタッチパネル２７は、印刷装置２０あるいは封入封緘装置３０においてジャムが発生し、用紙の搬送が停止した際に、残留用紙を除去するためのガイダンスをユーザに対して表示するものである。なお、このガイダンスの表示方法については、後で詳述する。
【００２５】
封入封緘装置３０は、印刷装置２０から受け入れた封筒用紙ＦＰを用いて封筒を作成するとともに、１以上の封入物用紙ＨＰを２つ折りや３つ折りなどして封筒内に封入することによって封書を作成するものである。封入封緘装置３０は、図１に示すように、印刷装置２０から受け入れた封入物用紙ＨＰを封入物整合部３３を経て封入物折り部３４まで搬送するための第１搬送路３１と、印刷装置２０から受け入れた封筒用紙ＦＰを第１封筒折り部３８まで搬送するための第２搬送路３２とを備えている。第１搬送路３１と第２搬送路３２とは、ソレノイドの駆動により姿勢が変わる不図示のフラップによって切り替えられる。
【００２６】
第１搬送路３１の途中に設けられている封入物整合部３３は、搬送ローラと、封入物用紙ＨＰの側端部を規制するガイド部材３３ａと、ソレノイドの駆動により搬送路に進退して封入物用紙ＨＰの搬送を一時的に留めるゲート部材３３ｂとを備え、それらの部材により、第１搬送路３１上を搬送されてきた封入物用紙ＨＰを順次受け入れ、受け入れた封入物用紙ＨＰを封書１通分毎に位置を揃えて一旦貯留し、所定のタイミングで封入物折り部３４に向けて送り出すものである。この構成により、封入物整合部３３は、複数枚の封入物用紙ＨＰを重ねて貯留する貯留部としての機能をも有する。
【００２７】
第１搬送路３１の終端に設けられている封入物折り部３４は、封入物用紙ＨＰの幅方向よりも長い複数の折りローラから構成され、封入物整合部３３から送られてきた１通分の封入物用紙ＨＰに対して２つ折りや３つ折りなどの折り処理を行うものである。封入物折り部３４からは、封入物折り部３４で折り処理が施された封入物用紙ＨＰを第１封筒折り部３８まで搬送するための第３搬送路３５が設けられている。第３搬送路３５は、第２搬送路３２と第１封筒折り部３８において合流するように構成されている。
【００２８】
また、第３搬送路３５の途中には、搬送ローラ３６が設けられており、搬送ローラ３６の回転を制御することにより、封入物折り部３４から受け入れた折り処理済みの封入物用紙ＨＰ´をこの搬送ローラ３６の地点において一旦待機させ、その封入物用紙ＨＰ´を封入すべき封筒用紙ＦＰが第１封筒折り部３８へ送り込まれるタイミングに合わせて、待機させておいた封入物用紙ＨＰ´を第１封筒折り部３８に向けて送り出すように構成されている。この構成により、搬送ローラ３６は、折り処理済みの封書１通分の封入物用紙ＨＰを貯留する貯留部としての機能をも有する。
【００２９】
一方、第２搬送路３２の途中には、搬送ローラ３７が設けられており、搬送ローラ３７の回転を制御することにより、第２搬送路３２上を搬送されてきた封筒用紙ＦＰをこの搬送ローラ３７の地点において一旦待機させ、その封筒用紙ＦＰに封入すべき封入物用紙ＨＰ´が第１封筒折り部３８へ送り込まれるタイミングに合わせて、待機させておいた封筒用紙ＦＰを第１封筒折り部３８に向けて送り出すように構成されている。この構成により、搬送ローラ３７は、封筒用紙ＦＰを貯留する貯留部としての機能をも有する。
【００３０】
第１封筒折り部３８は、封筒用紙ＦＰの幅方向よりも長い複数の折りローラから構成され、第２搬送路３２上を搬送されてきた封筒用紙ＦＰを、第３搬送路３５上を搬送されてきた封入物用紙ＨＰ´を挟みこむように搬送することにより、封筒用紙ＦＰに封入物用紙ＨＰ´を内包させ、封筒を形成するとともに、封入物用紙ＨＰ´を封入するものである。
【００３１】
第１封筒折り部３８からは第１封筒折り部３８で形成された封筒を第２封筒折り部４０まで搬送するための第４搬送路３９が設けられ、この第４搬送路３９には、第２封筒折り部４０から下方に向けて第５搬送路４１が延設されている。第５搬送路４１の近傍には、封筒の再湿糊部に水を付けて接着力を発揮させるための加水部４２が設けられている。また、第２封筒折り部４０は、加水部４２により再湿糊部に水が付けられた封筒に対して必要に応じてさらなる折り処理を施し、圧着ローラ４３に向けて送り出すように構成されている。
【００３２】
そして、第２封筒折り部４０からは、斜め上方に向けて傾斜された第６搬送路４６が設けられている。第６搬送路４６の途中には圧着ローラ４３が設けられている。この圧着ローラ４３は、折り処理の施された封入物用紙ＨＰが封入された封書の幅方向の両縁部を、上下から挟持して圧力を加えることによって感圧接着剤部１１１による接着を行うものである。そして、圧着ローラ４３を通過した封書は、第６搬送路４６の途中において、再湿糊部の糊による封緘が完了するまでの間、必要に応じて一旦停止され、その後、第７搬送路４４を経由して排出トレイ４５に排出される。
【００３３】
また、封入封緘装置３０には、図１に示すように、搬送路の適所にそれぞれ設けられ、その位置における用紙の有無を検知する複数の用紙検知センサＳ１１，Ｓ１２，・・・，Ｓ２１が設けられている。これらの各用紙検知センサは、発光素子と受光素子とを有する光センサからなる。
【００３４】
また、封入封緘装置３０には、用紙の搬送路の複数個所にそれぞれジャム用紙などの残留用紙を解除するためのジャム解除区間が設定されており、各ジャム解除区間には、たとえばその区間の搬送路を露出可能にする開閉自在なカバー、用紙を挟持搬送する搬送ローラ対の圧接部を離間させるための操作レバー等のジャム解除用の構造が設けられている。
【００３５】
次に、本実施形態の印刷システム１の制御系について図２を参照しながら説明する。なお、本実施形態の印刷システム１は、異常発生時及び再開時の動作制御に特徴を有するものであるため、ここではこれに関連する制御系を中心に説明する。
【００３６】
印刷装置２０は、図２に示すように、印刷装置２０全体を制御する制御部２８（印刷装置制御部）を備えている。制御部２８は、用紙検知センサＳ１，Ｓ２，・・・，Ｓ５からの出力信号に基づいて印刷装置２０内におけるジャムの発生を検出するジャム検出部２８１を備えており、印刷装置２０における印刷処理が実行されている途中において、ジャム検出部２８１によりジャムの発生が検出されたとき、印刷装置２０における用紙の搬送を停止させるものである。また、制御部２８は、印刷装置２０における印刷処理と封入封緘装置３０における封入封緘処理とが実行されている途中において、封入封緘装置３０においてジャムの発生が検出されたとき、封入封緘装置３０における封入封緘動作の停止に連動して印刷装置２０における用紙の搬送を停止させるものである。なお、ジャム検出部２８１は、後述する封入封緘装置３０のジャム検出部５０１とともに、本発明における停止要因検知部に対応する。
【００３７】
また、制御部２８は、印刷装置２０あるいは封入封緘装置３０においてジャムが発生し、用紙の搬送が停止した際に、残留用紙を除去するためのガイダンスとして、特定のジャム解除区間から残留用紙を取り除くよう促す画面をタッチパネル２７に表示させる表示制御部２８２（報知部）を備えている。表示制御部２８２は、停止原因のジャムが、印刷装置２０のジャム検出部２８１により検出されたものである場合、あるいは、封入封緘装置３０のジャム検出部５０１により検出された「未達ジャム」である場合には、たとえば図３に示すような、印刷装置についてのみ残留用紙に関する情報を示した画面をタッチパネル２７に表示させ、ユーザが、印刷装置２０については残留用紙を除去する作業を効率的に行えるようにしつつ、後処理装置３０については残留用紙を取り除かないようにするものであり、制御部２８は、このタッチパネル２７の表示を見たユーザによって印刷装置２０内の残留用紙が全て除去されると、停止の前に印刷装置２０から最後に排出された用紙に印刷された印刷データの次の印刷データから印刷を再開させるものである。
【００３８】
一方、停止原因のジャムが封入封緘装置３０のジャム検出部５０１により検出された、「未達ジャム」以外のジャムである場合には、表示制御部２８２は、印刷装置２０と封入封緘装置３０の両方について残留用紙に関する情報を示した画面をタッチパネル２７に表示させるものであり、制御部２８は、このタッチパネル２７の表示を見たユーザによって印刷装置２０と封入封緘装置３０の両方から残留用紙が全て除去されると、停止により中断された印刷ジョブの最初ページから印刷を再開させるものである。
【００３９】
封入封緘装置３０は、図２に示すように、封入封緘装置３０全体を制御する制御部５０を備えており、制御部５０は、用紙検知センサＳ１１，Ｓ１２，・・・，Ｓ２１からの出力信号に基づいて封入封緘装置３０内におけるジャムの発生を検出するジャム検出部５０１を備えており、印刷装置２０における印刷処理と封入封緘装置３０における封入封緘処理とが実行されている途中において、ジャム検出部５０１によりジャムの発生が検出されたとき、その検出されたジャムが「未達ジャム」（印刷装置２０から排出された用紙が用紙検知センサＳ１１に適切なタイミングで到達しなかった場合に検知されるジャム）以外のジャムである場合には、封入封緘装置３０における用紙の搬送を停止させるとともに、その旨を印刷装置２０の制御部２８に出力するものである。
【００４０】
一方、ジャム検出部５０１により検出されたジャムが「未達ジャム」である場合、制御部５０は、「未達ジャム」が発生した旨を印刷装置２０の制御部２８に出力するとともに（印刷装置２０のジャム検出部２８１によりジャムの発生が検出された場合を除く）、封入封緘装置３０に１通分の封筒用紙ＦＰ及び封入物用紙ＨＰが揃っていない封書印刷ジョブ（未完成用紙セット）に属する受け入れ済みの用紙を、封入封緘装置３０において貯留部としての機能を有する封入物整合部３３、搬送ローラ３６又は搬送ローラ３７に貯留させた上で、封入封緘装置３０における用紙の搬送を停止させるものである。このとき、受け入れ済みの封筒用紙ＦＰは搬送ローラ３７により貯留させ、１通分の封入物用紙ＨＰが揃っていない受け入れ済みの封入物用紙ＨＰは封入物整合部３３により貯留させる。また、１通分の封入物用紙ＨＰが揃っている受け入れ済みの封入物用紙ＨＰは搬送ローラ３６により貯留させる。なお、図１では、封入物整合部３３、搬送ローラ３６又は搬送ローラ３７のそれぞれに用紙が貯留されている状態を示している。
【００４１】
また、制御部５０は、除去されるべき残留用紙が全て除去され、印刷装置２０において印刷が再開されると、それに連動して、封入封緘装置３０における封入封緘処理を再開させるものである。このとき、封入封緘装置３０内に未完成用紙セットの用紙が貯留されている場合には、その貯留されている用紙と印刷の再開により印刷装置２０から送られてきた未完成用紙セットに属する残りの用紙とを用いて、中断された未完成用紙セットに対する封入封緘処理を続行させる。
【００４２】
次に、本実施形態の印刷システム１の作用について、図４に示すフローチャートを参照しながら説明する。なお、ここでも印刷装置２０と封入封緘装置３０とにおける異常発生時及び再開時の動作制御に関連する作用を中心に説明する。まず、印刷装置２０における印刷処理と封入封緘装置３０における封入封緘処理とが実行されている途中において、用紙詰まりやインク切れ、装置のメインテナンス等の停止要因の発生が検出される（ＳＴ１）。たとえば、印刷装置２０または封入封緘装置３０でジャムが発生した場合、そのジャムの発生が印刷装置２０のジャム検出部２８１又は封入封緘装置３０のジャム検出部２８１によって検出される。
【００４３】
ステップＳＴ１において停止要因が検出されると（ＳＴ１：ＹＥＳ）、印刷装置２０および封入封緘装置３０では、それぞれ検出された停止要因の内容に応じた停止動作が行われる（ＳＴ２）。たとえば、ステップＳＴ１において停止要因としてジャムが検出されると、その検出されたジャムが、印刷装置２０のジャム検出部２８１により検出されたものである場合、あるいは、封入封緘装置３０のジャム検出部５０１により検出された「未達ジャム」である場合には、その検出された検出信号が印刷装置２０の制御部２８に入力され、制御部２８は、入力された検出信号に応じて印刷装置２０における用紙の搬送を停止させるとともに、その旨を封入封緘装置３０の制御部５１に出力する。そして、封入封緘装置３０の制御部５１は、印刷装置２０における用紙搬送の停止に連動して、封入封緘装置３０に１通分の封筒用紙ＦＰ及び封入物用紙ＨＰが揃っていない未完成用紙セットに属する受け入れ済みの用紙を貯留させた上で、封入封緘装置３０における用紙の搬送を停止させる。
【００４４】
一方、ステップＳＴ１において検出されたジャムが、封入封緘装置３０のジャム検出部５０１により検出された、「未達ジャム」以外のジャムである場合には、その検出された検出信号が封入封緘装置３０の制御部５０に入力され、制御部５０は、入力された検出信号に応じて封入封緘装置３０における用紙の搬送を停止させるとともに、その旨を印刷装置２０の制御部２８に出力する。印刷装置２０の制御部２８は、封入封緘装置３０における用紙搬送の停止に連動して、印刷装置における用紙の搬送を停止させる。
【００４５】
次に、印刷装置２０の表示制御部２８２によって、ステップＳＴ１において検出された停止要因が印刷装置における停止要因であるか否かが判定される（ＳＴ３）。たとえば、ステップＳＴ１において停止要因としてジャムが検出された場合には、表示制御部２８２は、その検出されたジャムが、印刷装置２０のジャム検出部２８１により検出されたものである場合、あるいは、封入封緘装置３０のジャム検出部５０１により検出された「未達ジャム」である場合には、ステップＳＴ１において検出された停止要因が印刷装置における停止要因であると判定し、ステップＳＴ１において検出されたジャムが、封入封緘装置３０のジャム検出部５０１により検出された、「未達ジャム」以外のジャムである場合には、ステップＳＴ１において検出された停止要因は印刷装置における停止要因ではないと判定する。
【００４６】
ステップＳＴ３において、ステップＳＴ１において検出された停止要因が印刷装置における停止要因であると判定された場合には（ＳＴ３：ＹＥＳ）、表示制御部２８２によって、印刷装置２０の用紙検知センサＳ１，Ｓ２，・・・，Ｓ５からの出力信号に基づく印刷装置２０における残留用紙の位置が参照され、印刷装置についてのみ残留用紙の位置情報を示した画面がタッチパネル２７に表示される（ＳＴ４）。そして、タッチパネル２７の表示を見たユーザによって印刷装置２０の残留用紙が除去されると（ＳＴ５）、残留用紙が除去されたことがジャム検出部２８１によって検出され、その検出信号が印刷装置２０の制御部２８に入力され、制御部２８は、入力された検出信号に応じて、停止の前に印刷装置２０から最後に排出された用紙に印刷された印刷データの次の印刷データから印刷を再開させるとともに、その旨を封入封緘装置３０の制御部５０に出力する。封入封緘装置３０の制御部５０は、印刷装置２０における印刷の再開に連動して、封入封緘装置３０における封入封緘処理を再開させる（ＳＴ６）。
【００４７】
ステップＳＴ３において、ステップＳＴ１において検出された停止要因が印刷装置における停止要因ではないと判定された場合には（ＳＴ３：ＮＯ）、表示制御部２８２によって、印刷装置２０の用紙検知センサＳ１，Ｓ２，・・・，Ｓ５からの出力信号に基づく印刷装置２０における残留用紙の位置と、および封入封緘装置３０の用紙検知センサＳ１１，Ｓ１２，・・・，Ｓ２１からの出力信号に基づく封入封緘装置３０における残留用紙の位置とが参照され、印刷装置２０と封入封緘装置３０の両方について残留用紙の位置情報を示した画面がタッチパネル２７に表示される（ＳＴ７）。
【００４８】
そして、タッチパネル２７の表示を見たユーザによって印刷装置２０と封入封緘装置３０の両方から残留用紙が除去されると（ＳＴ８）、残留用紙が除去されたことが印刷装置２０のジャム検出部２８１および封入封緘装置３０のジャム検出部５０１によって検出され、その検出信号が印刷装置２０の制御部２８に入力され、制御部２８は、入力された検出信号に応じて、停止により中断された印刷ジョブの最初ページから印刷を再開させるとともに、その旨を封入封緘装置３０の制御部５０に出力する。封入封緘装置３０の制御部５０は、印刷装置２０における印刷の再開に連動して、封入封緘装置３０における封入封緘処理を再開させる（ＳＴ９）。このとき、封入封緘装置３０内に未完成用紙セットの用紙が貯留されている場合には、その貯留されている用紙と印刷の再開により印刷装置２０から送られてきた未完成用紙セットに属する残りの用紙とを用いて、中断された未完成用紙セットに対する封入封緘処理を続行させる。
【００４９】
上記構成により、本実施形態の印刷システム１によれば、印刷装置２０における停止要因により印刷装置２０の用紙搬送が停止されたとき、封入封緘装置３０において、中断された封書印刷ジョブに属する用紙を貯留部に貯留させた上で、封入封緘装置３０における用紙の搬送を停止させるようにし、印刷装置２０から残留用紙が全て除去され、かつ、停止要因が解消した後の再開動作として、印刷装置２０では、停止の前に印刷装置２０から最後に排出された用紙に印刷された印刷データの次の印刷データから印刷を再開させ、封入封緘装置３０では、中断された封書印刷ジョブに属する残りの用紙を受け入れ、貯留部に貯留させておいた用紙とを用いて、中断された印刷ジョブに対する封入封緘処理を続行させるようにしているので、停止の前までに封入封緘装置３０へ排出済みの用紙を無駄にすることなく、かつ、手動で後処理を行う手間を省くことができる。
【００５０】
なお、上記実施形態では、印刷装置２０における停止要因により印刷装置２０と封入封緘装置３０の動作が停止された場合に、封入封緘装置３０については残留用紙が除去されないよう、印刷装置２０についてのみ残留用紙に関する情報を示した画面をタッチパネル２７に表示させるようにした場合について説明したが、封入封緘装置３０の残留用紙に関する情報も一緒に表示するようにしてもよい。ただし、この場合には、ユーザが誤って封入封緘装置３０の残留用紙を除去してしまう虞があるので、封入封緘装置３０の残留用紙は取り除かないよう警報を一緒に表示させたり、封入封緘装置３０の残留用紙を取り除くことができないよう封入封緘装置３０にロック機構を設けるようにしてもよい。
【００５１】
また、上記実施形態では、後処理装置が封入封緘装置３０である場合について説明したが、後処理装置としては、製本装置やステープル装置等の任意の他の後処理装置を用いることができる。
【符号の説明】
【００５２】
１     印刷システム
２０   印刷装置
２１   インクヘッド部
２７   タッチパネル
２８   制御部（印刷装置制御部）
２８１ ジャム検出部
２８２ 表示制御部
３０   封入封緘装置
３３   封入物整合部
３３ａ ガイド部材
３３ｂ ゲート部材
３４   封入物折り部
３６   搬送ローラ
３７   搬送ローラ
３８   第１封筒折り部
４０   第２封筒折り部
４２   加水部
４３   圧着ローラ
４５   排出トレイ
５０   制御部
５０１ ジャム検出部
Ｓ１，Ｓ２，・・・，Ｓ５  用紙検知センサ
Ｓ１１，Ｓ１２，・・・，Ｓ２１  用紙検知センサ
【図１】
2014073645.tif 000003
【図２】
2014073645.tif 000004
【図３】
2014073645.tif 000005
【図４】
2014073645.tif 000006